(57)【要約】【課題】  光ディスクに識別情報を記録する場合において、高反射率区間における反射率の変動が小さくされた識別情報を記録し得る光ディスク識別情報記録装置を提供すること。【解決手段】  識別情報記録装置１の記録用レーザー光源２１からは、高出力期間と低出力期間とが交互に繰り返されるとともに、高出力期間における出力が所定の設定値に基づいて変化する出力特性を持つ記録用レーザー光が光ディスクに照射される。このため、識別情報の高反射率区間の反射率の変動量は、パルス状の出力特性を持つレーザー光を光ディスクに照射する場合に比較して小さくなる。また、評価装置２は、記録された識別情報を再生し、所定の評価値に基づいて再生信号を評価し、最適な設定値を決定する。【選択図】  図６
2008108324.tif 000002
【特許請求の範囲】
【請求項１】
照射されるレーザー光の出力に応じて反射率が変化する記録層を有する光ディスクを搭載して同光ディスクを回転させるターンテーブルと、
前記ターンテーブルを回転する回転装置と、
前記ターンテーブル上で回転している前記光ディスクに出力が変化する記録用レーザー光を照射して、前記光ディスクの周方向に亘って高反射率区間と低反射率区間とが交互に形成された識別情報を前記光ディスクに記録する識別情報記録手段とを備えた光ディスク識別情報記録装置において、
前記識別情報記録手段は、高出力の記録用レーザー光を出射する高出力期間と低出力の記録用レーザー光を出射する低出力期間とが交互に繰り返されるとともに、前記高反射率区間の反射率の変動量が小さくなるように前記高出力期間における記録用レーザー光の出力を変化させた出力波形に基づいて前記記録用レーザー光の出力を制御する出力制御手段を備えることを特徴とする、光ディスク識別情報記録装置。
【請求項２】
請求項１に記載の光ディスク識別情報記録装置において、
前記出力制御手段は、前記高出力期間の開始点における記録用レーザー光の出力が前記高出力期間の前記開始点以外の部分における記録用レーザー光の出力とは異なるように前記高出力期間における記録用レーザー光の出力を変化させた出力波形に基づいて前記記録用レーザー光の出力を制御することを特徴とする、光ディスク識別情報記録装置。
【請求項３】
請求項１または２に記載の光ディスク識別情報記録装置において、
前記出力制御手段は、前記高出力期間の出力の勾配である高出力勾配を定め、前記高出力期間における記録用レーザー光の出力が前記高出力勾配に従って変化した出力波形に基づいて記録用レーザー光の出力を制御することを特徴とする、光ディスク識別情報記録装置。
【請求項４】
請求項１または２に記載の光ディスク識別情報記録装置において、
前記出力制御手段は、前記高出力期間における記録用レーザー光の出力が、前記高出力期間の開始点から終了点にかけて非線形的に変化した出力波形に基づいて記録用レーザー光の出力を制御することを特徴とする、光ディスク識別情報記録装置。
【請求項５】
請求項１乃至４のいずれか１項に記載の光ディスク識別情報記録装置において、
前記出力制御手段は、前記高反射率区間の反射率の変動量が小さくなるように前記低出力期間における記録用レーザー光の出力を変化させた出力波形に基づいて前記記録用レーザー光の出力を制御することを特徴とする、光ディスク識別情報記録装置。
【請求項６】
請求項５に記載の光ディスク識別情報記録装置において、
前記出力制御手段は、前記低出力期間の開始点における記録用レーザー光の出力が前記低出力期間の前記開始点以外の部分における記録用レーザー光の出力とは異なるように前記低出力期間における記録用レーザー光の出力を変化させた出力波形に基づいて前記記録用レーザー光の出力を制御することを特徴とする、光ディスク識別情報記録装置。
【請求項７】
請求項５または６に記載の光ディスク識別情報記録装置において、
前記出力制御手段は、前記低出力期間の出力の勾配である低出力勾配を定め、前記低出力期間における記録用レーザー光の出力が前記低出力勾配に従って変化した出力波形に基づいて記録用レーザー光の出力を制御することを特徴とする、光ディスク識別情報記録装置。
【請求項８】
請求項５または６に記載の光ディスク識別情報記録装置において、
前記出力制御手段は、前記低出力期間における記録用レーザー光の出力が、前記低出力期間の開始点から終了点にかけて非線形的に変化した出力波形に基づいて記録用レーザー光の出力を制御することを特徴とする、光ディスク識別情報記録装置。
【請求項９】
請求項３乃至８のいずれか１項に記載の光ディスク識別情報記録装置において、
前記識別情報記録手段によって光ディスクに記録された識別情報を、再生用レーザー光を照射することにより再生し、再生信号波形を生成する再生信号生成手段と、
前記再生信号生成手段により生成された再生信号波形の形状を表す表価値を算出する評価値算出手段と、
前記評価値算出手段にて算出された評価値に基づき、前記高出力期間の開始点における記録用レーザー光の出力、前記高出力期間における前記高出力勾配、前記高出力期間における記録用レーザー光の出力の変化を示す出力変化曲線の形状、低出力期間の開始点における記録用レーザー光の出力、低出力期間における前記低出力勾配、前記低出力期間における記録用レーザー光の出力の変化を示す出力変化曲線の形状、の内の少なくとも１つを決定する設定値決定手段と、
を備えることを特徴とする、光ディスク識別情報記録装置。
【請求項１０】
照射されるレーザー光の出力に応じて反射率が変化する記録層を有する光ディスクに、識別情報に基づいて出力が変化する記録用レーザー光を記録用レーザー光源から照射して、前記光ディスクの周方向に亘り高反射率区間と低反射率区間とが交互に形成された識別情報を光ディスクに記録する光ディスク識別情報記録方法において、
前記光ディスクを回転させる回転ステップと、
回転している前記光ディスクのＢＣＡ(Burst Cutting Area)に光スポットが形成されるように前記記録用レーザー光源を移動する移動ステップと、
高出力の記録用レーザー光を出射する高出力期間と低出力の記録用レーザー光を出射する低出力期間とが交互に繰り返されるとともに、前記高反射率区間の反射率の変動量が小さくなるように、前記高出力期間における記録用レーザー光の出力を変化させて、前記記録用レーザー光源から記録用レーザー光を前記光ディスクに照射する照射ステップと、
を含むことを特徴とする、光ディスク識別情報記録方法。
【発明の詳細な説明】
【技術分野】
【０００１】
本発明は、Ｂｌｕ−ｒａｙ  Ｄｉｓｋ，ＨＤ  ＤＶＤ，ＤＶＤ，ＣＤなどの光ディスク上に各々の光ディスクを他の光ディスクと識別するための識別情報を記録する光ディスク識別情報記録装置および光ディスク識別情報記録方法に関する。
【背景技術】
【０００２】
従来から、光ディスクには、光ディスクを製造保管または流通販売において管理する目的で光ディスクごとに固有の識別情報（メディアＩＤ）が記録されている。この識別情報は、一般に光ディスクの最内周部に形成されたＢＣＡ(Burst Cutting Area)またはＮＢＣＡ(Narrow Burst Cutting Area)にバーコードデータとして記録されている。
【０００３】
光ディスクに識別情報を記録するには、光ディスクを識別情報記録装置のターンテーブル上で回転させながら、ＢＣＡに高出力の記録用レーザー光と低出力の記録用レーザー光を交互に照射し、高反射率を有する部分である高反射率区間と、低反射率を有する部分である低反射率区間を交互に形成する。この高反射率区間と低反射率区間が交互に繰り返された識別情報が光ディスクの周方向に沿ってバーコードデータとして形成される。そして、この識別情報に再生用レーザー光を照射し、反射率の違いから識別情報を読み出す。
【０００４】
この場合、記録層が高反射率の材料で形成されている記録媒体においては、高出力のレーザー光が照射された部分は溶融して凹部が形成される。また、低出力のレーザー光が照射された部分は溶融しない。記録層中の凹部は光を散乱するため反射率が低く（低反射率）なる。したがって、記録層が高反射率の材料で形成されている記録媒体に識別情報を記録する場合においては、高出力のレーザー光を照射した部分は低反射率となり、低出力のレーザー光を照射した部分は高反射率のままとなる（例えば特許文献１参照）。
【０００５】
また、色素系光ディスクや、成膜直後（結晶化前）の相変化型光ディスクは、記録層が低反射率となっている。この場合において、例えば成膜直後であって結晶化（初期化）がされていない記録層が形成された相変化型光ディスクに識別情報を記録するために、高出力のレーザー光と低出力のレーザー光とを交互に照射すると、高出力のレーザー光が照射された部分は結晶化（初期化）されて高反射率となり、低出力のレーザー光が照射された部分は結晶化されずに低反射率のままとなる。したがって、記録層が低反射率の材料で形成されている記録媒体に識別情報を記録する場合においては、高出力のレーザー光を照射した部分は高反射率となり、低出力のレーザー光を照射した部分は低反射率のままとなる（例えば特許文献２参照）。
【特許文献１】特開２００５−０１１４３５号公報
【特許文献２】特開２００２−２８８８２９号公報
【発明の開示】
【０００６】
識別情報を記録するための記録層が低反射率とされた光ディスクに識別情報を記録する場合、特許文献２においては、図３（Ａ）に示すように、レーザー光の出力波形が高出力の期間と低出力の期間を交互に繰り返したパルス波形とされている。しかしながら、本発明者が、このようなパルス波形であるレーザー光を用いて記録層が低反射率である多種類の光ディスクに識別情報を記録し、記録した識別情報を再生用レーザー光を照射して再生した結果、再生信号の波形、すなわち記録した部分の反射率分布は図３（Ｂ）のようになるものが多くあった。この図から、出力がパルス波形のレーザー光を照射して識別情報を記録した場合、以下の問題点があることがわかった。
・高反射率の部分は、一方端（図示左端、高反射率の部分として最初に形成される部分Ｐ）が最も高く、その後急峻に低下し、それ以後他方端（図示右端、高反射率の部分として最後に形成される部分）に行くにつれて漸減した反射率分布を持つ（つまり、高反射率の部分の波形形状がのこぎり型となっている）。このため、高反射率の部分における反射率の変動が大きい。
・低反射率の部分から高反射率の部分に移行する領域で、一端急峻に上昇し、途中でほぼ一様となり、再び上昇する反射率分布が形成される（つまり、低反射率の部分から高反射率の部分に移行する領域に、反射率の段差Ｄが形成される）。このため、段差Ｄの部分で誤検出が起こり、正確な識別情報を読み出すことができないことがある。
・低反射率の部分のうちの最も低い反射率Ｌが、次に形成される（図示右側の）高反射率の部分の長さによってばらつく。
【０００７】
本発明は上記問題に対処するためなされたもので、その目的は、レーザー光の出力に応じて相変化または物質変化を生じて反射率が変化する記録層を有する光ディスクに識別情報を記録する場合において、高反射率の部分（高反射率区間）における反射率の変動が小さくされた識別情報を記録し得る光ディスク識別情報記録装置および光ディスク識別情報記録方法を提供することにある。また、本発明の目的は、光ディスクに識別情報を記録する場合において、低反射率の部分（低反射率区間）から高反射率区間の間に反射率の段差などが形成されていない識別情報を記録し得ると共に、低反射率区間のうちの最も低い反射率が次の高反射率区間の長さにかかわらず略一定とされた識別情報を記録し得る光ディスク識別情報記録装置および光ディスク識別情報記録方法を提供することにある。
【０００８】
上記目的を達成するため、本発明の特徴は、照射されるレーザー光の出力に応じて反射率が変化する記録層を有する光ディスクを搭載して同光ディスクを回転させるターンテーブルと、前記ターンテーブルを回転する回転装置と、前記ターンテーブル上で回転している前記光ディスクに出力が変化する記録用レーザー光を照射して、前記光ディスクの周方向に亘って高反射率区間と低反射率区間とが交互に形成された識別情報を前記光ディスクに記録する識別情報記録手段とを備えた光ディスク識別情報記録装置において、前記識別情報記録手段は、高出力の記録用レーザー光を出射する高出力期間と低出力の記録用レーザー光を出射する低出力期間とが交互に繰り返されるとともに、前記高反射率区間の反射率の変動量が小さくなるように前記高出力期間における記録用レーザー光の出力を変化させた出力波形に基づいて前記記録用レーザー光の出力を制御する出力制御手段を備えるものとしたことにある。
【０００９】
また、本発明の他の特徴は、照射されるレーザー光の出力に応じて反射率が変化する記録層を有する光ディスクに、識別情報に基づいて出力が変化する記録用レーザー光を記録用レーザー光源から照射して、前記光ディスクの周方向に亘り、高反射率区間と低反射率区間とが交互に形成された識別情報を光ディスクに記録する光ディスク識別情報記録方法において、前記光ディスクを回転させる回転ステップと、回転している光ディスクのＢＣＡ（Burst Cutting Area)に光スポットが形成されるように前記記録用レーザー光源を移動する移動ステップと、高出力の記録用レーザー光を出射する高出力期間と低出力の記録用レーザー光を出射する低出力期間とが交互に繰り返されるとともに、前記高反射率区間の反射率の変動量が小さくなるように、前記高出力期間における前記記録用レーザー光の出力を変化させて、前記記録用レーザー光源から記録用レーザー光を前記光ディスクに照射する照射ステップと、を含む、光ディスク識別情報記録方法とすることにある。
【００１０】
上記発明によれば、識別情報記録手段は、記録用レーザー光の出力に応じて反射率が変化する記録層を有する光ディスクに対して高出力の記録用レーザー光を出射する期間（高出力期間）と低出力の記録用レーザー光を出射する期間（低出力期間）とを交互に繰り返して記録用レーザー光を照射する。これにより、光ディスクに高反射率区間と低反射率区間とが交互に形成された識別情報が記録される。このとき、識別情報記録手段は、識別情報の高反射率区間の反射率の変動量が小さくなるように高出力期間における出力を変化させて記録用レーザー光を光ディスクに照射する。このため、高反射率区間の反射率の変動量が小さくされた識別情報を光ディスクに記録することができる。
【００１１】
従来技術においては、上述したように、高出力期間と低出力期間とが交互に繰り返されたパルス波形の出力分布を持つ記録用レーザー光を光ディスクに照射してバーコードデータを記録していたが、このようなパルス波形の出力分布を持つ記録用レーザー光は、高出力期間における出力が一定である。高出力期間における出力が一定であると、図３（Ｂ）に示すように、記録された識別情報の高反射率区間における反射率の変動量が大きくなる。特に、高反射率区間の始まりの部分Ｐの反射率が極めて大きく、始まりの部分から終わりの部分にかけて徐々に反射率が小さくなっていく反射率分布となる。このような高反射率区間の反射率の変動は、記録用レーザー光の高出力期間における出力を一定に固定している限り生じる。よって、本発明では、高出力期間における出力を変化させることによって高反射率区間の反射率の分布を変化させ、これにより高反射率区間における反射率の変動量を小さくすることができる。ここで、本発明において、「高反射率区間」とは、識別情報を再生したときに所定の反射率よりも高いと認識される区間のことであり、「低反射率区間」とは、識別情報を再生したときに前記所定の反射率よりも低いと認識される区間のことである。また、「前記高反射率区間の反射率の変動量が小さくなるように」とは、「前記高反射率区間の反射率の変動量が、高出力期間における出力を一定にして記録用レーザー光を光ディスクに照射した場合に光ディスクに形成される識別情報の高反射率区間の反射率の変動量よりも小さくなるように」という意味である。また、「高反射率区間の反射率の変動量」とは、「高反射率区間における最も高い反射率と最も低い反射率との差」のことである。
【００１２】
この場合、前記識別情報記録手段は、記録用レーザー光を出射する記録用レーザー光源を有し、前記出力制御手段は、高出力の記録用レーザー光が出射される期間である高出力期間と低出力の記録用レーザー光が出射される期間である低出力期間とが交互に繰り返されるとともに、前記高反射率区間の反射率の変動量が小さくなるように前記高出力期間における記録用レーザー光の出力が変化した出力波形を生成する記録波形生成手段と、前記記録波形生成手段により生成された出力波形に基づいて前記記録用レーザー光源を駆動する駆動手段と、を備えるものとするのがよい。
【００１３】
また、前記出力制御手段は、前記高出力期間の開始点における記録用レーザー光の出力が前記高出力期間の前記開始点以外の部分における記録用レーザー光の出力とは異なるように前記高出力期間における記録用レーザー光の出力を変化させた出力波形に基づいて前記記録用レーザー光の出力を制御するものであるとよい。同様に、前記照射ステップは、前記高出力期間の開始点における記録用レーザー光の出力が前記高出力期間の前記開始点以外の部分における記録用レーザー光の出力とは異なるように、記録用レーザー光の出力を変化させて、前記記録用レーザー光源から記録用レーザー光を前記光ディスクに照射するようにするとよい。図３（Ｂ）に示す識別情報の反射率分布において、高反射率区間の始まりの部分の反射率が極めて高くなっている現象は、記録用レーザー光の出射時における高出力期間の開始点の出力の大きさが影響していると考えられるので、この開始点の出力をその他の出力とは異なるように制御すれば、高反射率区間の始まりの部分の反射率を低く抑えることが可能となる。
【００１４】
また、前記出力制御手段は、前記高出力期間の出力の勾配である高出力勾配を定め、前記高出力期間における記録用レーザー光の出力が前記高出力勾配に従って変化した出力波形に基づいて記録用レーザー光の出力を制御するようにしてもよい。同様に、前記照射ステップは、前記高出力期間における記録用レーザー光の出力が前記高出力勾配に従って変化するように、前記記録用レーザー光源から記録用レーザー光を前記光ディスクに照射するようにするとよい。図３（Ｂ）に示す反射率分布において、高反射率区間の始まりの部分から終わりの部分にかけて反射率が漸減している現象は、高出力期間における記録用レーザー光の出力勾配（高出力勾配）が影響していると考えられるので、この高出力勾配を適切な値に定め、定められた高出力勾配にしたがって出力を増減していくことにより、高反射率区間における反射率の漸減を抑えることが可能となる。ここで、「高出力勾配」とは、高出力期間における記録用レーザー光の出力の変化量を時間で微分した値もしくはその近似値である。
【００１５】
また、前記出力制御手段は、前記高出力期間における記録用レーザー光の出力が、前記高出力期間の開始点から終了点にかけて非線形的に変化した出力波形に基づいて記録用レーザー光の出力を制御するようにしてもよい。同様に、照射ステップでは、前記高出力期間における記録用レーザー光の出力が、前記高出力期間の開始点から終了点にかけて非線形的に変化するように、前記記録用レーザー光源から記録用レーザー光を前記光ディスクに照射するとよい。図３（Ｂ）に示す反射率分布によれば、高反射率区間の始まりから終わりにかけて反射率が非線形に漸減していることがわかる。したがって、高出力期間における記録用レーザー光の出力も非線形に変化させることにより、高反射率区間における反射率を直線上にすることができる。
【００１６】
また、前記出力制御手段は、前記高反射率区間の反射率の変動量が小さくなるように前記低出力期間における記録用レーザー光の出力を変化させた出力波形に基づいて前記記録用レーザー光の出力を制御するのがよい。同様に、前記照射ステップは、前記高反射率区間の反射率の変動量が小さくなるように前記低出力期間における記録用レーザー光の出力を変化させて、前記記録用レーザー光源から記録用レーザー光を前記光ディスクに照射するようにするとよい。この場合、前記出力制御手段または前記記録波形生成手段は、前記低出力期間の開始点における記録用レーザー光の出力が前記低出力期間の前記開始点以外の部分における記録用レーザー光の出力とは異なるように前記低出力期間における記録用レーザー光の出力を変化させた出力波形に基づいて前記記録用レーザー光の出力を制御し、前記照射ステップでは、このように制御された記録用レーザー光を前記光ディスクに照射するとよい。また、前記出力制御手段は、前記低出力期間の出力の勾配である低出力勾配（低出力期間における記録用レーザー光の出力の変化量を時間で微分した値もしくはその近似値）を定め、前記低出力期間における記録用レーザー光の出力が前記低出力勾配に従って変化した出力波形に基づいて記録用レーザー光の出力を制御し、前記照射ステップでは、このように制御された記録用レーザー光を前記光ディスクに照射するとよい。さらに、前記出力制御手段は、前記低出力期間における記録用レーザー光の出力が、前記低出力期間の開始点から終了点にかけて非線形的に変化した出力波形に基づいて記録用レーザー光の出力を制御し、前記照射ステップではこのように制御された記録用レーザー光を光ディスクに照射するとよい。低出力期間における記録用レーザー光の出力の変化も、高反射率区間における反射率の変動量に影響すると考えられる。加えて、低出力期間における記録用レーザー光の出力の変化は、低反射率区間から高反射率区間との間に生じる反射率の段差、および、低反射率区間の最も低い反射率のばらつきにも影響を及ぼす可能性がある。よって、これらを上記のように制御することにより、上記段差の発生を抑え、また低反射率区間の最も低い反射率をほぼ一定にすることができる。
【００１７】
また、本発明の光ディスク識別情報記録装置は、前記識別情報記録手段によって光ディスクに記録された識別情報を、再生用レーザー光を照射することにより再生し、再生信号波形を生成する再生信号生成手段と、前記再生信号生成手段により生成された再生信号波形から再生信号の形状を表す表価値を算出する評価値算出手段と、前記評価値算出手段にて算出された評価値に基づき、前記高出力期間の開始点における記録用レーザー光の出力、前記高出力期間における前記高出力勾配、前記高出力期間における記録用レーザー光の出力の変化を示す出力変化曲線の形状、低出力期間の開始点における記録用レーザー光の出力、低出力期間における前記低出力勾配、前記低出力期間における記録用レーザー光の出力の変化を示す出力変化曲線の形状、の内の少なくとも１つの値を決定する設定値決定手段と、を備えるものとしてもよい。これによれば、記録された識別情報を再生して、その再生信号から所定の評価値を求め、この評価値に基づいて、高反射率区間の反射率の変動が小さくなるような記録用レーザー光の出力特性が決定される。よって、評価値にしたがって記録用レーザー光の出力特性が一義的に決定されるので、作業者によって上記出力特性が変動することを防止できる。
【発明を実施するための最良の形態】
【００１８】
以下、本発明に係る光ディスク識別情報記録装置の一実施形態について説明する。図１は、ブルーレイディスク(Blu-ray Disk)，ＨＤ  ＤＶＤ，ＤＶＤなどの光ディスクＤＫに識別情報（メディアＩＤ）を記録する光ディスク識別情報記録装置１の全体概略図である。ここで、識別情報（メディアＩＤ）とは、光ディスク自体または光ディスクに記録される情報の不正なコピーを防止するために、光ディスクごとに設定され、光ディスクに記録されるデータである。識別情報は、図２（Ａ）に示すように、光ディスクＤＫの記録領域１の内周側に所定の幅を有して環状に形成されたＢＣＡ(Burst Cutting Area)２（またはＮＢＣＡ(Narrow burst cutting area))にバーコードデータ３によって表されるものが記録される。記録されているバーコードデータ３の詳細を図２（Ｂ）に示す。バーコードデータ３は、図２（Ｂ）に示すバー部３ａとスペース部３ｂとが交互配列されたバーコード形状を呈したデータである。本実施形態においては、バー部３ａは低反射率の領域であり、スペース部３ｂは高反射率の領域である。
【００１９】
図１に示すように、光ディスク識別情報記録装置１は、光ディスクＤＫを回転駆動する回転駆動装置１０と光ディスクＤＫにレーザー光を照射するとともに同照射による光ディスクＤＫからの反射光を受光する光ピックアップ２０とを備えている。
【００２０】
回転駆動装置１０は、光ディスクＤＫを回転駆動するためのスピンドルモータ１１および光ディスクＤＫを径方向に移動させるフィードモータ１２を備えている。スピンドルモータ１１の回転軸１１ｂにはターンテーブル１３が固定されており、同ターンテーブル１３上に光ディスクＤＫが着脱可能に組み付けられるようになっている。
【００２１】
スピンドルモータ１１内には、スピンドルモータ１１の回転、すなわちターンテーブル１３（光ディスクＤＫ）の回転を検出して、同回転を表す回転検出信号を出力するエンコーダ１１ａが内蔵されている。エンコーダ１１ａが出力する回転検出信号は、ターンテーブル１３（光ディスクＤＫ）の回転位置が一つの基準回転位置に来るごとに発生されるインデックス信号ＩＮＤと、所定の微小な回転角度ずつハイレベルとローレベルを繰り返すパルス列信号とからなるとともに互いにπ／２だけ位相のずれたＡ相信号φＡおよびＢ相信号φＢとからなる。インデックス信号ＩＮＤは後述するコントローラ３００および記録用レーザー光駆動回路１３８に、Ａ相信号φＡおよびＢ相信号φＢは後述するクロック信号発生回路１４０およびスピンドルモータ制御回路１４２にそれぞれ出力される。
【００２２】
スピンドルモータ１１の回転は、スピンドルモータ制御回路１４２によって制御される。スピンドルモータ制御回路１４２はコントローラ３００によって制御されるものであり、前記エンコーダ１１ａが出力する回転検出信号ＩＮＤ，φＡ，φＢを用いて、光ディスクＤＫが常に線速度一定で回転するようにスピンドルモータ１１の回転を制御する。具体的には、コントローラ３００から供給される光ディスクＤＫの径方向における光スポットを形成する位置を表す信号に基づいて、同光スポットを形成する位置における光ディスクＤＫの線速度に対応するスピンドルモータ１１の回転速度を算出するとともに、エンコーダ１１ａが出力する回転検出信号ＩＮＤ，φＡ，φＢを用いて同スピンドルモータ１１の回転速度をサーボ制御する。これにより、光スポットが形成されている位置における光ディスクＤＫの光ピックアップ２０に対する線速度が一定に保たれる。
【００２３】
フィードモータ１２は、スクリューロッド１５を介してスピンドルモータ１１を固定支持するとともに光ディスクＤＫの径方向の移動のみが許容された支持部材１６に連結されている。スクリューロッド１５は、その一端にてフィードモータ１２の回転軸に一体回転するように連結され、その他端に支持部材１６に固着されたナット（図示しない）に螺合している。したがって、フィードモータ１２が回転すると、スピンドルモータ１１、ターンテーブル１３および支持部材１６は、スクリューロッド１５およびナットからなるねじ送り機構によって、光ディスクＤＫの径方向に変位する。
【００２４】
フィードモータ１２内にも、フィードモータ１２の回転を検出して、前記エンコーダ１１ａと同様の回転検出信号ＩＮＤ，φＡ，φＢを出力するエンコーダ１２ａが内蔵されている。このエンコーダ１２ａからのインデックス信号ＩＮＤ、Ａ相信号φＡおよびＢ相信号φＢは、コントローラ３００とフィードモータ制御回路１４４にそれぞれ出力される。フィードモータ制御回路１４４は、コントローラ３００に制御されて、エンコーダ１２ａからの回転検出信号ＩＮＤ，φＡ，φＢを用いて光ピックアップ２０の光ディスクＤＫに対する径方向位置を変更制御する。
【００２５】
具体的には、フィードモータ制御回路１４４は、エンコーダ１２ａが出力する回転検出信号ＩＮＤ，φＡ，φＢに基づいて支持部材１６（スピンドルモータ１１）の光ディスクＤＫの径方向位置、すなわち光ディスクＤＫの中心に対する光スポットの形成されている径方向位置（半径）を計算し、この径方向位置（半径）を用いて、コントローラ３００から供給される光ディスクＤＫの径方向における光スポットを形成する位置を表す信号により指示された位置に光スポットを形成するように、フィードモータ１２の回転を制御する。また、フィードモータ制御回路１４４は、φＡ，φＢに基づいて移動方向と移動速度を計算し、この移動方向と移動速度を用いて、コントローラ３００から供給される移動方向と移動速度を表す制御信号により、指示された方向に指示された速度で支持部材１６（スピンドルモータ１１）を移動するようにフィードモータ１２の回転を制御する。
【００２６】
光ピックアップ２０は、記録用レーザー光源２１、コリメートレンズ２３、偏光ビームスプリッタ２５、１／４波長板２７、対物レンズ２８、ミラー２９、凸レンズ３０、ナイフエッジ３１、フォトディテクタ３２およびフォーカスアクチュエータ３３を備えている。記録用レーザー光源２１は、光ディスクＤＫに識別情報を記録するための記録用レーザー光を出射するレーザー光源である。
【００２７】
この光ピックアップ２０においては、記録用レーザー光源２１から出射される記録用レーザー光は、コリメートレンズ２３、偏光ビームスプリッタ２５、１／４波長板２７および対物レンズ２８を介して光ディスクＤＫに集光され、光ディスクＤＫ上のＢＣＡに長円形状の光スポットを形成する。
【００２８】
光ディスクＤＫに形成された記録用レーザー光による光スポットからの反射光は、対物レンズ２８、１／４波長板２７、偏光ビームスプリッタ２５、ミラー２９、凸レンズ３０およびナイフエッジ３１を介して、フォトディテクタ３２に導かれて受光される。フォトディテクタ３２は、分割線で区切られた２つの同一長方形状の受光素子からなる２分割受光素子によって構成されており、各受光素子は受光量に比例した検出信号Ａ，Ｂをそれぞれ受光信号として出力する。なお、凸レンズ３０、ナイフエッジ３１およびフォトディテクタ３２は、ナイフエッジ法によるフォーカスエラー信号の生成のための光学系を構成する。
【００２９】
フォトディテクタ３２には、ＨＦ信号増幅回路１０２が接続されている。ＨＦ信号増幅回路１０２は、フォトディテクタ３２から出力された受光信号Ａ，Ｂをそれぞれ増幅して、フォーカスエラー信号生成回路１０４に出力する。フォーカスエラー信号生成回路１０４は、ＨＦ信号増幅回路１０２を介してフォトディテクタ３２から出力された検出信号Ａ，Ｂを用いた演算によりフォーカスエラー信号を生成して、フォーカスサーボ回路１０６に出力する。フォーカスサーボ回路１０６は、フォーカスエラー信号に基づいてフォーカスサーボ信号を生成してドライブ回路１０８に出力する。ドライブ回路１０８は、フォーカスサーボ信号に応じてフォーカスアクチュエータ３３を駆動制御して、対物レンズ２８を光ディスクＤＫの軸方向に変位させる。これらの回路の作動によって、記録用レーザー光の光スポットが光ディスクＤＫ上で合焦するように、フォーカスアクチュエータ３３が制御される。
【００３０】
コントローラ３００には、識別情報を表すデータおよび後述する各種設定値が記憶されている。これらの識別情報を表すデータおよび各種設定値は、作業者が入力装置３０２から入力することにより、あるいは予め登録することにより、コントローラ３００に記憶される。コントローラ３００は、識別情報を表すデータをデータ変換回路１３２に、各種設定値を記録波形生成回路１３４にそれぞれ出力する。データ変換回路１３２は入力された識別情報を表すデータを２値化データに変換し、変換した２値化データを記録波形生成回路１３４に出力する。記録波形生成回路１３４は記録用レーザー光源２１から出射すべきレーザー光の出力波形を記録波形として生成する。そして、この記録波形を記録用信号生成回路１３６に出力する。
【００３１】
クロック信号発生回路１４０は、上述したようにエンコーダ１１ａからＡ相信号φＡおよびＢ相信号φＢが入力されるとともに、φＡ，φＢに基づいて所定のタイミングを示すパルス信号を生成し、このパルス信号を記録用信号生成回路１３６に出力する。記録用信号生成回路１３６は、記録波形生成回路１３４から入力された記録波形（出力波形）を、クロック信号生成回路から入力されるパルス信号に同期させて記録用レーザー光駆動回路１３８に出力する。記録用レーザー光駆動回路１３８は、入力された記録波形（出力波形）に応じた駆動信号を記録用レーザー光源２１に出力する。本実施形態において、光ピックアップ２０、コントローラ３００、データ変換回路１３２、記録波形生成回路１３４、記録用信号生成回路１３６、記録用レーザー光駆動回路１３８およびクロック信号発生回路１４０が、本発明の識別情報記録手段を構成し、記録用レーザー光駆動回路１３８が本発明の出力制御手段に該当する。
【００３２】
上記構成の識別情報記録装置１において、作業者が入力装置３０２を介して起動指示をコントローラ３００に入力すると、コントローラ３００は各回路に作動を指示する信号を出力するとともに、識別情報を表すデータをデータ変換回路１３２に、各種設定値を記録波形生成回路１３４に出力する。すると、スピンドルモータ制御回路１４２がスピンドルモータ１１を駆動制御し、この駆動制御によって光ディスクＤＫがターンテーブル１３上で一定の線速度で回転する（回転ステップ）。また、フィードモータ制御回路１４４がフィードモータ１２を駆動制御する。この駆動制御によって、記録用レーザー光の光スポットが光ディスクＤＫのＢＣＡに形成されるように、光ディスクＤＫの径方向における光ディスクＤＫと光ピックアップ２０との相対位置が調整される（移動ステップ）。
【００３３】
データ変換回路１３２は、上述のようにコントローラ３００から入力された識別情報を表すデータを２値化データに変換し、この２値化データを記録波形生成回路１３４に出力する。記録波形生成回路１３４は、入力された２値化データを参照し、光ディスクＤＫに上記２値化データに相当する識別情報が記録されるように、コントローラ３００から入力される各種設定値に基づいて記録用レーザー光源２１から出射されるべきレーザー光の出力波形を生成する。ここで、記録波形生成回路１３４にて生成される出力波形について説明する。
【００３４】
従来においては、図３（Ａ）に示すように、識別情報を記録するための記録用レーザー光の出力波形はパルス波形である。図３（Ａ）においては、ハイレベルの期間が高出力の記録用レーザー光を出射する期間（高出力期間）であり、ローレベルの期間が低出力の記録用レーザー光を出射する期間（低出力期間）である。高出力の記録用レーザー光を光ディスクＤＫに照射すると、光ディスクＤＫ上に形成される光スポットの熱エネルギーによって、照射部分が結晶化されて、高反射率となる。一方、低出力の記録用レーザー光を光ディスクＤＫに照射しても、光ディスクＤＫに形成される光スポットの熱エネルギーが小さいために、照射部分は結晶化されず、低反射率のままである。よって、過渡的な現象を考慮しなければ、記録用レーザー光の出力を図３（Ａ）のようにパルス波形とすれば、記録される識別情報の反射率分布も高反射率と低反射率とが交互に繰り返されたパルス波形となると考えられる。しかし、実際には記録層における過渡的な現象によって、識別情報の反射率分布は良好なパルス波形とならず、図３（Ｂ）に示すような波形となることが多くある。
【００３５】
図３（Ｂ）からわかるように、識別情報の反射率は、一応は高反射率である区間（高反射率区間）と低反射率である区間（低反射率区間）とに分かれ、高反射率区間と低反射率区間とが交互に繰り返された反射率分布を有している。しかし、高反射率区間における反射率の変化が大きい、つまり高反射率区間における反射率の変動量が大きいことがわかる。特に、高反射率区間の始まりの部分の反射率が、同一の高反射率区間のそれ以外の部分の反射率に比べて極度に高くなった点Ｐを有しており、上記点Ｐから終わりの部分に向かうにしたがって徐々に反射率が小さくなっていることがわかる。このため、全体的に出力波形が鋸状となっている。また、低反射率区間の終わりの部分から次の高反射率区間の始まりの部分にかけて反射率が上昇しているが、途中で反射率が上昇しなくなり、その後再び上昇している。つまり、低反射率区間と次の高反射率区間との間に反射率の段差Ｄが生じている。さらに、低反射率区間のうちで最も反射率の低い部分の反射率Ｌが、次の高反射率区間の長さによってばらついている。このような反射率分布を持つ識別情報は、反射率の変動量が大きいために、再生時に識別情報を正確に再生することができない可能性がある。
【００３６】
これに対し、本実施形態においては、識別情報の高反射率区間における反射率の変動量が小さくなるように、高出力期間におけるレーザー光の出力が変化した出力波形を記録波形生成回路１３４にて生成する。また、低反射率区間と次の高反射率区間との間に反射率の段差が生じないように、および、低反射率区間のうちで最も反射率の低い部分の反射率が、次の高反射率区間の長さにかかわらずほぼ一定となるように、高出力期間や低出力期間におけるレーザー光の出力が変化した出力波形を記録波形生成回路１３４にて生成する。
【００３７】
図４（Ａ）は、本実施形態において、識別情報を光ディスクＤＫに記録するために、記録波形生成回路１３４にて生成される記録用レーザー光の出力波形である。図４（Ａ）から分かるように、この出力波形は、高出力期間（図のＱ〜Ｒの区間）と低出力期間（図のＳ〜Ｕの区間）とに分かれており、高出力期間と低出力期間とが交互に繰り返された出力分布を呈している。また、高出力期間における出力は一定ではなく変化しており、低出力期間における出力も一定ではなく変化している。さらに、各高出力期間および各低出力期間における出力の変化の態様も、それぞれ異なっている。図４（Ａ）に示す出力分布は一例ではあるが、具体的には、以下の共通の特徴を有している。
・高出力期間における出力は、高出力期間の開始点Ｑにおける出力は比較的小さく、上記開始点Ｑから終了点Ｒに向かうにつれて出力が大きくなっている。
・高出力期間の開始点Ｑから終了点Ｒにかけての出力変化は、上に凸の曲線状（非線形）とされている。
・低出力期間の開始点Ｓにおける出力は比較的大きく、上記開始点Ｓから終了点Ｕに向かうにつれて出力が小さくなっている。
・低出力期間の開始点Ｓから終了点Ｕにかけての出力変化は、下に凸の曲線状（非線形）とされている。
【００３８】
上記のような出力特性は、以下に示す各種設定値を設定することにより決定することができる。
（１）高出力期間の開始点Ｑの出力である高出力初期値ＩＨＦ
（２）高出力期間の出力勾配である高出力勾配ＡＨ（あるいは高出力期間の終了点Ｒの出力である高出力終了値ＩＨＲ）
（３）高出力期間の出力変化曲線である高出力変化曲線ＢＨ
（４）低出力期間の開始点Ｓの出力である低出力初期値ＩＬＦ
（５）低出力期間の出力勾配である低出力勾配ＡＬ（あるいは低出力期間の終了点Ｕの出力である低出力終了値ＩＬＲ）
（６）低出力期間の出力変化曲線である低出力変化曲線ＢＬ
上記の各種設定値と記録波形生成回路１３４にて生成される出力波形との関係を図５（Ａ）、図５（Ｂ）に示す。
【００３９】
上記６個の設定値ＩＨＦ，ＡＨ（ＩＨＲ），ＢＨ，ＩＬＦ，ＡＬ（ＩＬＲ），ＢＬのうち、ＩＨＦ，ＡＨ（ＩＨＲ），ＢＨによって、記録用レーザー光の高出力期間の出力変化曲線が決定され、ＩＬＦ，ＡＬ（ＩＬＲ），ＢＬによって、記録用レーザー光の低出力期間の出力特性線が決定される。具体的には、高出力初期値ＩＨＦによって高出力期間の開始点Ｑの出力が決定され、高出力勾配ＡＨおよび高出力変化曲線ＢＨによって高出力期間の開始点Ｑから終了点Ｒにかけての出力変化の度合いおよび高出力期間の終了点の出力が決定される。これにより高出力期間の出力特性線が決定される。また、低出力初期値ＩＬＦによって低出力期間の開始点Ｓの出力が決定され、ＡＬおよびＢＬによって低出力期間の開始点Ｓから終了点Ｕにかけての出力変化の度合いおよび低出力期間の終了点の出力が決定される。これにより低出力期間の出力特性線が決定される。この場合、高出力変化曲線ＢＨおよび低出力変化曲線ＢＬは、近似曲線が多数存在するので、例えば２次曲線とすることができる。特に、高出力変化曲線ＢＨは図１１（Ａ）に示すように時間ｔを出力Ｉの２次関数に近似し、低出力変化曲線ＢＬは図１１（Ｂ）に示すように出力Ｉを時間ｔの２次関数に近似するのがよい。このようにすれば、２次曲線の一つの係数（例えば、近似式がＹ＝ａ・ｘ２＋ｂ・ｘ＋ｃである場合の係数ａ）を決定すれば、開始点（Ｑ，Ｓ）の出力と終了点（Ｒ，Ｕ）の出力が決まっているのでその他の係数も自動的に定まり、曲線の形状が算出される。ただし、係数の数値だけでは実際の曲線の形状が把握しにくいため、決定した曲線の形状は表示装置３０４に表示されるようにするとよい。なお、変化曲線を２次曲線以外の曲線とした方がよりよい反射率分布となると予測される場合には、多次式の曲線として係数を多く設定してもよい。または、作業者が表示装置３０４を見ながら波形を描くようにしてもよい。
【００４０】
上記のようにして、各種設定値により高出力期間および低出力期間の出力特性が決定されるが、各種設定値は、高出力期間の長さによって値が異なる。ここで、図４（Ｃ）に示すように、識別情報を構成するバーコードデータ３において、低反射率区間により構成されるバー部３ａから次のバー部３ａまでの間隔は、１Ｔ，２Ｔ，３Ｔ，４Ｔの４種類と定められている。また、バー部３ａ（低反射率区間）の幅Ｗは一定である。よって、高反射率区間（スペース部３ｂ）の長さは４種類である。高出力の記録用レーザー光を出射する高出力期間の長さは高反射率区間の長さに比例するため、高出力期間の長さも４種類となる。よって、４種類の長さの高出力期間に対し、上記６個の設定値を設定するため、合計で２４個の設定値を設定することになる。なお、各高出力期間の長さが上記４種類のどれに該当するかは、データ変換回路１３２から記録波形生成回路１３４に入力される２値化データから判断することができる。よって、２値化データを参照し、各種設定値に基づいて、図４（Ａ）に示したような出力特性を持つ記録用レーザー光の出力波形が生成される。
【００４１】
記録波形生成回路１３４は、上記のようにして記録用レーザー光の出力波形を生成し、生成した出力波形を記録用波形データとして記録用信号生成回路１３６に出力する。また、クロック信号発生回路１４０は、エンコーダ１１ａから出力される回転検出信号φＡ，φＢを用いて、記録用信号生成回路１３６による記録用信号の生成の基準となるパルス信号を生成して記録用信号生成回路１３６に出力する。記録用信号生成回路１３６は、記録波形生成回路１３４から入力された記録用波形データを、クロック信号発生回路１４０から入力されるパルス信号に同期させて記録用レーザー光駆動回路１３８に出力する。記録用レーザー光駆動回路１３８は、記録用信号生成回路１３６から入力される信号に基づいて記録用レーザー光源２１を駆動する。これにより、図４（Ａ）に示す出力波形に従った出力変化を伴う記録用レーザー光が記録用レーザー光源２１から出射され（照射ステップ）、光ディスクＤＫのＢＣＡにバーコードデータとして識別情報が記録される。
【００４２】
本実施形態により記録された識別情報の反射率分布を図４（Ｂ）に示す。従来の識別情報の反射率分布を示す図３（Ｂ）と比較してわかるように、本実施形態の識別情報の反射率分布は、高反射率区間と低反射率区間とが明確に区別されており、高反射率区間と低反射率区間とが交互に繰り返された反射率分布を有している。また、高反射率区間における反射率の変動量が図３（Ｂ）の場合と比較して明らかに小さいことがわかる。また、高反射率区間の始まりの部分の反射率も、同一の高反射率区間のそれ以外の部分の反射率とほぼ同等の反射率とされており、全体的に一様の反射率となっていることがわかる。また、低反射率区間と次の高反射率区間との間に反射率の段差などは生じていないことがわかる。さらに、低反射率区間のうちで最も反射率の低い部分の反射率が、次の高反射率区間の長さにかかわらず、ほぼ一定であることがわかる。このように、本実施形態によれば、従来に比べて高反射率区間と低反射率区間とが明確に分かれ、パルス波形に近い反射率分布を持つ識別情報を光ディスクに記録することができる。
【００４３】
以上のように、本実施形態の光ディスク識別情報記録装置１は、高出力期間と低出力期間とが交互に繰り返されるとともに、識別情報の高反射率区間の反射率の変動量が小さくなるように高出力期間における記録用レーザー光の出力を変化させた出力波形を記録波形生成回路１３４にて生成し、生成された出力波形に基づいて記録用レーザー光駆動回路１３８が記録用レーザー光の出力を制御するため、高反射率区間の反射率の変動量が小さくされた識別情報を光ディスクＤＫに記録することができる。また、記録用レーザー光駆動回路１３８は、設定値によって定められた高出力期間の開始点の出力、高出力期間の勾配（高出力勾配）および高出力期間の曲線形状により決定される高出力期間の出力波形に基づいて、高出力期間の開始点における記録用レーザー光の出力がそれ以外の部分における出力とは異なるように記録用レーザー光の出力を制御するので、より一層識別情報の高反射率区間の反射率の変動量を小さくすることができる。
【００４４】
また、本実施形態の光ディスク識別情報記録装置１は、低出力期間における記録用レーザー光の出力も変化した出力波形を記録波形生成回路１３４にて生成し、生成された出力波形に基づいて記録用レーザー光駆動回路１３８が記録用レーザー光の出力を制御するため、高反射率区間の反射率の変動量がより小さくされるとともに、低反射率区間から高反射率区間の間に生じていた反射率の段差の形成が抑えられ、さらに低反射率区間の最も低い反射率がほぼ一定とされた識別情報を形成することができる。また、記録用レーザー光駆動回路１３８は、設定値によって定められた低出力期間の開始点の出力、低出力期間の勾配（低出力勾配）および低出力期間の曲線形状により決定される低出力期間の出力波形に基づいて、低出力期間の開始点における記録用レーザー光の出力がそれ以外の部分における出力とは異なるように記録用レーザー光の出力を制御するので、より一層良好な形状の識別情報を形成することができる。
【００４５】
発明者は、いくつかの種類の光ディスクにより実験を行ったところ、各種設定値の最適値は光ディスクの種類ごとに異なっていることがわかった。また、記録用レーザー光の出力波形は図５（Ａ）のように高出力勾配ＡＨを正にすれば、高反射率領域における反射率の漸減が抑えられて反射率の変動量が小さくなるものと思われたが、光ディスクによっては図５（Ｂ）に示すように高出力勾配ＡＨを負にした方が高反射率区間の反射率の変動量が小さくなる場合もあることを見出した。したがって、上記６つの設定値の最適値は、光ディスクの個々に対してこれらの設定値をパラメータとして様々な値に設定し、識別情報の試し書きを行い、記録した識別情報を再生して再生波形を評価した上で決定する必要がある。
【００４６】
再生波形を評価するための評価装置を図６に示す。図６の評価装置２は、図１の識別情報記録装置１が備える構成に、ダイクロイックミラー２６、再生用レーザー光源３４、コリメートレンズ３５、偏光ビームスプリッタ３６、凸レンズ３７、シリンドリカルレンズ３８、フォトディテクタ３９、再生用レーザー駆動回路１２２、ＨＦ信号増幅回路１１２、再生信号生成回路１１４、波形解析装置２００を付加したものである。
【００４７】
ダイクロイックミラー２６、再生用レーザー光源３４、コリメートレンズ３５、偏光ビームスプリッタ３６、凸レンズ３７、シリンドリカルレンズ３８およびフォトディテクタ３９は光ピックアップ２０内に組み込まれている。ダイクロイックミラー２６は、記録用レーザー光を透過し再生用レーザー光を反射する波長選択性のあるミラーである。再生用レーザー光源３４は再生用レーザー光を出射するものであり、再生用レーザー光駆動回路１２２によって再生用レーザー光の出射が制御される。再生用レーザー光源３４から出射される再生用レーザー光は、コリメートレンズ３５、偏光ビームスプリッタ３６、ダイクロイックミラー２６、１／４波長板２７、対物レンズ２８を通過して光ディスクＤＫに照射され、光ディスクＤＫ上に再生用の光スポットを形成する。光ディスクＤＫ上に形成された光スポットの反射光は、対物レンズ２８、１／４波長板２７、ダイクロイックミラー２６、偏光ビームスプリッタ３６、凸レンズ３７、シリンドリカルレンズ３８を通過して、フォトディテクタ３９に受光される。フォトディテクタ３９はレーザー光の受光信号をＨＦ信号増幅回路１１２に出力する。ＨＦ信号増幅回路１１２は入力された受光信号を増幅して再生信号生成回路１１４に出力する。再生信号生成回路１１４は入力された受光信号に基づいて再生信号を生成し、生成した再生信号を波形解析装置２００に出力する。なお、その他の構成は図１の識別情報記録装置１中の構成と同一であるので、同一構成については同一番号で表し、その具体的説明を省略する。
【００４８】
図６の評価装置２を起動させるに当たり、作業者は、入力装置３０２から識別情報および各種設定値ＩＨＩ，ＡＨ（ＩＨＥ），ＢＨ，ＩＬＩ，ＡＬ（ＩＬＥ），ＢＬをコントローラ３００に入力する。このとき入力する各種設定値は任意値である。その後、評価開始の指示をコントローラ３００に入力する。すると、各回路が作動して光ディスクＤＫが所定の線速度でターンテーブル１３上を回転するとともに記録用レーザー光および再生用レーザー光が光ディスクＤＫのＢＣＡ上に照射されるように、光ディスクＤＫと光ピックアップ２０の相対位置が調整される。また、記録用レーザー光源２１から記録用レーザー光が出射され、所定の光学系（コリメートレンズ２３、偏光ビームスプリッタ２５、ダイクロイックミラー２６、１／４波長板２７、対物レンズ２８）を経て光ディスクＤＫに照射される。これにより光ディスクＤＫのＢＣＡに光スポットが形成される。このとき、記録用レーザー光は、作業者がコントローラ３００に入力した各種設定値に基づいて生成された出力波形に基づいて出力が制御される。記録用レーザー光の出射により光ディスクＤＫのＢＣＡ上に形成された光スポットによって、識別情報が記録される。なお、記録用レーザー光により形成された光スポットの反射光は、所定の光学系（対物レンズ２８、１／４波長板２７、ダイクロイックミラー２６、偏光ビームスプリッタ２５、ミラー２９、凸レンズ３０、ナイフエッジ３１）を経てフォトディテクタ３２に受光され、フォーカスサーボ制御に供される。
【００４９】
識別情報の記録は、光ディスクＤＫの所定の径方向に亘り形成される。この記録が終了すると、記録用レーザー光源２１からの記録用レーザーの出射が停止され、次いで、再生用レーザー光源３４から再生用レーザー光が出射される。再生用レーザー光は所定の光学系（コリメートレンズ３５、偏光ビームスプリッタ３６、ダイクロイックミラー２６、１／４波長板２７、対物レンズ２８）を経て光ディスクＤＫのＢＣＡに照射され、光スポットを形成する。この光スポットの反射光は所定の光学系（対物レンズ２８、１／４波長板２７、ダイクロイクミラー２６、偏光ビームスプリッタ３６、凸レンズ３７、シリンドリカルレンズ３８）を経てフォトディテクタ３９に受光される。
【００５０】
フォトディテクタ３９は、分割線で区切られた４つの同一正方形状の受光素子からなる４分割受光素子によって構成されており、各受光素子は受光量に比例した検出信号Ａ，Ｂ，Ｃ，Ｄをそれぞれ受光信号として出力する。フォトディテクタ３９から出力された受光信号はＨＦ増幅回路１１２に入力される。ＨＦ増幅回路１１２は入力した受光信号を増幅して再生信号生成回路１１４に出力する。再生信号生成回路１１４では、ＨＦ信号増幅回路１１２を介してフォトディテクタ３９から出力された受光信号Ａ，Ｂ，Ｃ，Ｄから再生信号としてのＳＵＭ信号（Ａ＋Ｂ＋Ｃ＋Ｄ）を生成し、生成した再生信号を波形解析装置２００に出力する。波形解析装置２００は、入力された再生信号を解析して、解析後の波形を表示する。なお、本実施形態では、波形解析装置２００としてデジタルオシロスコープを使用している。なお、図では省略されているが、フォーカスエラー信号生成回路１０４、フォーカスサーボ回路１０６、ドライブ回路１０８と同様の働きを行う回路がもう１系統設けられており、その回路はＨＦ信号増幅回路１１２から出力された受光信号Ａ，Ｂ，Ｃ，Ｄを入力し、再生用レーザー光が光ディスクＤＫ上で合焦するようにフォーカスアクチュエータ３３を制御するための信号を出力する。
【００５１】
波形解析装置２００では、入力された再生信号がデータ処理されて、波形間隔が１Ｔ，２Ｔ，３Ｔ，４Ｔの場合ごとに、複数の波形を平均化した波形（平均波形）が合計４つ表示される。表示される平均波形の一例を図７に示す。また、低反射率区間の箇所の複数の波形データを重ね合わせた波形（重ね合わせ波形）も表示される。重ね合わせ波形の一例を図８に示す。作業者は、これらの平均波形および重ね合わせ波形を確認しつつ、６個の設定値を波形間隔（１Ｔ，２，３Ｔ，４Ｔ）ごとに変化させて、再度識別情報を光ディスクに記録する。そして、記録した識別情報を再生し、再度波形解析装置２００に平均波形および重ね合わせ波形を表示する。作業者はこのような操作を繰り返し行い、高反射率区間の反射率の変動量が小さくなるように、また、低反射率区間と次の高反射率区間との間に段差が生じないように、さらに、低反射率区間のうちで最も反射率の低い部分の反射率が、次の高反射率区間の長さにかかわらず一定になるように、各種設定値を探索する。そして、最適な波形データとなったときの各種設定値を最適設定値として記憶し、以後、ＢＣＡへの識別情報の記録においては、上記記憶した最適設定値を用いることにより、図４（Ａ）に示したような理想的な反射率分布を持つ識別情報を光ディスクに記録することができる。
【００５２】
上記の方法は、作業者が波形解析装置２００に表示された波形を見て手作業にて各種設定値の最適設定値を探索する方法であり、作業者の主観により最適設定値が変化する。したがって、各種設定値の最適設定値を算出する上で作業者の主観を除外するため、各種設定値のうちのいずれか１つの設定値をパラメータとし、パラメータの値を順次変えて識別情報を光ディスクＤＫに記録し、記録した識別情報を再生して再生信号波形からこの波形の特性を示す評価値を算出し、その評価値に基づきパラメータとした設定値の最適設定値を求めるようにすれば、作業者によって各種設定値の最適設定値が大きくずれることを防止することができる。このため、本実施形態においては、波形解析装置２００にて、図７および図８に示す平均波形および重ね合わせ波形を表示するとともに解析し、図７および図８に示すような以下の評価値を算出し、表示する。なお、波形解析装置２００に表示される平均波形（図７）および重ね合わせ波形（図８）は、光ディスクＤＫに形成された識別情報の周方向における反射率分布の波形に相当し、ハイレベルの区間が高反射率区間、ローレベルの区間が低反射率区間である。また、横軸は時間であるが、長さの単位に換算できる。
【００５３】
（１）高反射率区間の開始点Ｊから終了点Ｋまでの反射率勾配ＣＨ
この勾配ＣＨは、複数の高反射率区間の開始点Ｊの反射率（またはそれに対応する出力値）の平均値と終了点Ｋの反射率（またはそれに対応する出力値）の平均値との差を区間の長さで除したものである。ＣＨが０に近づくほど理想的な波形となる。
（２）高反射率区間の開始点Ｊにおける反射率勾配ＤＨ
この勾配ＤＨは、厳密には複数の高反射率区間の開始点Ｊにおける反射率（またはそれに対応する出力値）の微分値の平均値であるが、開始点Ｊから微小区間までの反射率（またはそれに対応する出力値）の座標値を基に最小二乗法により直線の式を算出し、その直線の勾配をもって、反射率勾配ＤＨとしてもよい。勾配ＤＨが０に近づくほど理想的な波形となる。
（３）低反射率区間から高反射率区間に切り替わる部分の反射率勾配ＥＬ−Ｈ
この勾配ＥＬ−Ｈは、低反射率区間を均等に前半区間、中間区間、後半区間と横軸に沿って分けた場合において、後半区間（次の高反射率区間に最も近い区間）における反射率（またはそれに対応する出力値）の座標値を基に最小二乗法により直線の式を算出したときの勾配（傾き）である。勾配ＥＬ−Ｈは、大きいほど、つまり低反射率区間から高反射率区間への切り替わりが急峻であるほど理想的な波形となる。
（４）波形を２値化したときのＴの平均長さＴａｖｅ
Ｔａｖｅは、低反射率区間の開始点から次の低反射率区間の開始点までの区間の長さの平均値である。このＴａｖｅは、本来のＴに近いほど理想的な波形となる。
（５）波形を２値化したときのＴの長さのばらつきJitter
Jitterは、低反射率区間の開始点から次の低反射率区間の開始点までの区間の長さの標準偏差である。Jitterが小さいほど、つまりＴの長さのばらつきが小さいほど理想的な波形となる。
（６）低反射率区間における最下点のばらつきσ
σは、低反射率区間における最下点の標準偏差である。σが小さいほど理想的な波形となる。
【００５４】
したがって、作業者は、パラメータの値を適宜変えながら、評価装置２を用いて光ディスクＤＫに識別情報を記録し、記録された識別情報の再生信号波形についての上記評価値を波形解析装置２００で確認する。そして、評価値が最も良いときに用いたパラメータの値を、そのパラメータについての最適設定値とすることができる。この方法によれば、各パラメータの最適設定値を迅速に決定することができる。また、作業者の主観によらないで最適設定値を決定することができる。
【００５５】
上記の方法を実際に行うには、まず設定値の中からパラメータを選択し、選択したパラメータの変更範囲および変更間隔を決め、定めたパラメータの値に基づいた出力波形となるように記録用レーザー光を光ディスクＤＫに照射して識別情報を光ディスクＤＫに記録する。光ディスクＤＫに記録された識別情報は再生用レーザー光の照射により再生され、波形解析装置２００に平均波形および重ね合わせ波形が表示されとともに、これらの波形に基づいて各評価値が算出される。作業者は算出された評価値に基づき再びパラメータの値を変更し、変更したパラメータの値に基づいた出力波形となるように記録用レーザー光を光ディスクＤＫに再度照射し、再度識別情報を光ディスクＤＫに記録する。光ディスクＤＫに記録された識別情報は再生用レーザー光の照射により再度再生されて、波形解析装置２００に平均波形および重ね合わせ波形が表示されるとともに、各評価値が算出される。作業者は算出された評価値に基づき再度パラメータの値を変更する。
【００５６】
このように、作業者はパラメータの最適設定値を求めるために、何度もパラメータの値を変更して光ディスクＤＫに識別情報を記録させていくが、この場合、一枚の光ディスクの径方向に位置を変えて複数の識別情報を記録し、再生信号の評価（評価値の算出）を半径位置を変えて行うことで、パラメータの最適設定値を求めるまでの光ディスクの使用枚数を節約することができる。またパラメータの最適設定値を決めるまでの時間も短くなり、効率も向上する。なお、個々の識別情報の記録幅Ｂは再生用レーザー光のスポット径から適切な値を定めることができる。
【００５７】
図９、１０は、上記方法によりパラメータの最適設定値を自動的に決定するためにコントローラ３００が行うプログラムのフローチャートである。作業者は光ディスクＤＫを図６の評価装置２にセットした後、このプログラムをコントローラ３００に実行させることにより、自動的にバーコードデータである識別情報の記録と再生信号波形の評価が行われ、パラメータの値ごとに再生した再生信号波形の評価値が算出される。そして、表示された評価値に基づきパラメータの最適設定値が決定される。以下、このフローチャートについて説明する。
【００５８】
このプログラムは、ステップＳ１００にて開始され、次のステップＳ１０２にて、コントローラ３００は記録用カウンタ値ｎを１に設定する。次いで、ステップＳ１０４にて、コントローラ３００は表示装置３０４にパラメータの入力要求を表示させる。作業者は、設定値（高出力初期値ＩＨＦ、高出力勾配ＡＨ（あるいは高出力終了値ＩＨＲ）、高出力変化曲線ＢＨ、低出力初期値ＩＬＦ、低出力勾配ＡＬ（あるいは低出力終了値ＩＬＲ）、低出力変化曲線ＢＬ）の中からパラメータとすべき設定値を選択し、選択した設定値（パラメータ）を入力装置３０２を介してコントローラ３００に入力する。ステップＳ１０４にてパラメータが入力された場合、コントローラ３００は、次のステップＳ１０６にて、表示装置３０４に、パラメータの変更範囲および変更間隔の入力要求を表示させる。上記変更範囲はパラメータの値の振り幅（変更するパラメータの値の幅）を示し、例えばパラメータの最小値ＭＩＮと最大値ＭＡＸを入力することによりなされる。上記変更間隔はパラメータの値の送り幅（変更するパラメータの値を昇順に並べたときの隣接する値の差）を示し、変更量αを入力することによりなされる。このように入力すれば、パラメータの値が、ＭＩＮ，ＭＩＮ＋α，ＭＩＮ＋２α，ＭＩＮ＋３α，・・・ＭＡＸというように、交差αの等差数列のように変化していく。このような例に限らず、パラメータの値を全て入力してもよいし、またパラメータの値の送り幅は一定でなくてもよい。なお、パラメータ以外の設定値については、前回値が存在すればその前回値に設定し、前回値が存在しない場合はデフォルト値とすることができる。また、このとき、パラメータの値を変更する数である変更数ｍも計算される。変更数ｍは、上記の例であれば、（ＭＡＸ−ＭＩＮ）／αの演算により求められる。
【００５９】
その後、コントローラ３００は、ステップＳ１０７にて、一つの識別情報の記録幅（一つのバーコードデータのバーコード幅）Ｂと、パラメータの値の変更数ｍを乗じた値Ｂ×ｍが、ＢＣＡの径方向幅（記憶領域）以下であるかを判定する。記録幅Ｂは任意に設定できる。この判定は、パラメータの全ての値に対して識別情報をＢＣＡの径方向に順に記録していったときに、全ての識別情報がＢＣＡの記憶領域内に収まるかを判定するものである。Ｂ×ｍがＢＣＡの径方向幅よりも大きい場合には、パラメータの全ての値に対する識別情報をＢＣＡの記憶領域に記録することができない。このため、上記判定が「Ｎｏ」である場合はステップＳ１０６に戻り、パラメータの変更範囲および変更間隔を入力し直す。また、上記判定が「Ｙｅｓ」である場合は、ステップＳ１０８に進む。
【００６０】
ステップＳ１０８では、コントローラ３００は、再生信号波形の評価値として、上記ＣＨ，ＤＨ，ＥＬ−Ｈ，Ｔａｖｅ，Jitter，σを表示装置３０４に表示するとともに、これらの評価値のうちで、選択したパラメータの最適設定値を求めるための評価値として相応しいと考えられる評価値を選択する選択要求を表示する。例えば、パラメータが高出力勾配ＡＨである場合は、この傾きＡＨに大きく影響を及ぼすであろう評価値、例えばＣＨやＤＨを選択する。そして、作業者は、選択する評価値を入力装置３０２を介してコントローラ３００に入力する。なお、すべての評価値を選択してもよい。
【００６１】
ステップＳ１０８における選択が終了すると、次に、ステップＳ１１０にてコントローラ３００は光ディスクＤＫを回転させるように指令を出力する（回転ステップ）。これによりスピンドルモータ１１が回転駆動し、光ディスクＤＫがターンテーブル１３上で所定の線速度で回転する。次いで、ステップＳ１１２にてコントローラ３００はフィードモータ１２を駆動させ、光スポットがＢＣＡの記憶領域の最内周である半径位置（記録開始半径位置）ｒ０に形成されるように、光ディスクＤＫと光ピックアップ２０との相対位置が制御される（移動ステップ）。なお、上記半径位置とは、光ディスクＤＫの中心から光ディスクＤＫに形成される光スポットの位置までの距離を示す。
【００６２】
続いて、コントローラ３００は、ステップＳ１１４にてパラメータの値Ｐ（ｎ）を設定する。パラメータの値Ｐ（ｎ）が定まることにより、全ての設定値が定まるので、記録波形生成回路１３４では、これらの設定値およびデータ変換回路１３２から入力される２値化データを基に、記録用レーザー光の出力波形が生成されるとともに記憶される。
【００６３】
次に、ステップＳ１１６にて、コントローラ３００はエンコーダ１１ａからインデックス信号ＩＮＤが入力されたかを判定する。入力されていない場合は入力されるまで待機する。入力された場合は、次のステップＳ１１８に進み、記録用レーザー光の照射を開始する（照射ステップ）。これにより、記録用レーザー光源２１から、記録波形生成回路１３４にて生成された出力波形およびクロック信号発生回路１４０から出力されるパルス信号に従って出力制御された記録用レーザー光が出射される。出射された記録用レーザー光は所定の光学系を経て光ディスクＤＫに照射され、光ディスクＤＫ上で光スポットを形成する。この光スポットの強度は記録用レーザー光の出力に応じて変化し、高エネルギーの光スポットの照射部分は記録層が結晶化して高反射率となり、低エネルギーの光スポットの照射部分は記録層が結晶化せずに低反射率のままとされる。このようにして、記録層に高反射率区間と低反射率区間を交互に形成する。次いで、ステップＳ１２０にてフォーカスサーボ制御が開始される。これにより、光ディスクＤＫ上に形成された光スポットの反射光の受光情報に基づいてフォーカスサーボ制御が実行される。続いて、ステップＳ１２２にてフィードモータ１２による送り移動制御が開始され、光ピックアップ２０が光ディスクＤＫの半径方向外方に移動する。またこのとき、エンコーダ１２ａからの回転検出信号に基づいて、光スポットが形成される光ディスクの半径位置ｒが計算され始める。これらのステップによって、光ディスクのＢＣＡに識別情報が記録されていく。
【００６４】
次に、ステップＳ１２４にて、コントローラ３００は、移動半径Δｒがｎ×Ｂ以上であるかを判定する。ここで、移動半径Δｒとは、ステップＳ１２２にて光ピックアップ２０の送り移動を開始してから光ピックアップ２０が光ディスクＤＫの半径方向に移動した距離であり、ｒ−ｒ０で表される。Δｒがｎ×Ｂよりも小さい場合（Ｓ１２４：Ｎｏ）は、現在のパラメータの値を用いて記録した識別情報の記録幅が未だ所定の記録幅Ｂになっていないことを示す。よって、この場合は再度判定を行う。判定結果が「Ｙｅｓ］である場合は記録しているバーコードデータの記録幅が所定の記録幅Ｂとなったことを示す。この場合は次のステップＳ１２６に進む。
【００６５】
ステップＳ１２４の判定が「Ｙｅｓ］となってステップＳ１２６に進むと、このステップＳ１２６にてインデックス信号ＩＮＤの入力があったかを判定する。入力がない場合はステップＳ１２６に戻って再度判定する。入力があった場合はステップＳ１２８に進む。ステップＳ１２４における判定が「Ｙｅｓ」であって、且つステップＳ１２６の判定が「Ｙｅｓ」であるということは、パラメータの値がＰ（ｎ）である場合における識別情報の記録幅が所定の記録幅Ｂとなり、且つ、光ディスクの周方向における記録が完了したことを示す。よって、次のステップＳ１２８にて記録用レーザー光の照射を停止する。次いで、ステップＳ１３０にてフォーカスサーボが停止される。以上のステップＳ１１４〜Ｓ１３０の実行により、パラメータの値がＰ（ｎ）であり、記録幅Ｂの識別情報が光ディスクＤＫのＢＣＡに記録される。
【００６６】
次に、コントローラ３００は、ステップＳ１３２にて記録用カウンタ値ｎがｍ以上であるかを判定する。最初の識別情報を記録するときは記録用カウンタ値ｎが１とされており、パラメータの値の変更数であるｍよりも小さいので、この判定結果は「Ｎｏ」となる。判定結果が「Ｎｏ」である場合はステップＳ１３４に進む。ステップＳ１３４ではｎをインクリメントする。その後、ステップＳ１１４に戻り、パラメータの新たな値Ｐ（ｎ＋１）を設定する。そして、上記のようにステップＳ１１６〜Ｓ１３０の処理を繰り返し、パラメータがＰ（ｎ＋１）であり、記録幅Ｂの識別情報を光ディスクＤＫのＢＣＡに記録する。
【００６７】
このような識別情報の記録を、記録用カウンタ値ｎがパラメータの変更数ｍとなるまで繰り返される。そして、最後のパラメータの値Ｐ（ｍ）についての識別情報の記録においては、ステップＳ１３２における判定が「Ｙｅｓ」となるので、このステップＳ１３２からステップＳ１３６に進み、フィードモータ１２を制御して光ピックアップ２０の半径方向への送り移動を停止する。ここまでの処理の実行により、光ディスクＤＫのＢＣＡ記憶領域には、パラメータの値をＰ（１）〜Ｐ（ｍ）まで段階的に変化させた場合における識別情報が、光ディスクＤＫの径方向に沿ってそれぞれ記録される。
【００６８】
全てのパラメータの値を用いた識別情報の記録が終了すると、次いで、コントローラ３００はステップＳ１３８に進み、このステップＳ１３８にて再生用カウンタ値ｎを１に設定する。次に、ステップＳ１４０にて再生用レーザー光の照射を開始する。これにより、再生用レーザー光源３４から再生用レーザー光が出射される。出射された再生用レーザー光は、所定の光学系を経て光ディスクＤＫに照射され、光ディスクＤＫ上に光スポットを形成する。なお、この再生用レーザー光は出力が低く、再生用レーザー光からの光スポットによって光ディスクＤＫの記録層に相変化は生じない。
【００６９】
続いて、コントローラ３００は、ステップＳ１４２にてフォーカスサーボ制御を開始し、さらにステップＳ１４４にて、光スポットがｒ０＋（ｎ×Ｂ）−Ｂ／２で表される光ディスクＤＫの半径位置に形成されるように光ピックアップを移動する。上記の半径位置は、変更パラメータの値がＰ（ｎ）であるときに記録した識別情報の径方向中央位置である。上記半径位置に光スポットが形成されるように光ピックアップ２０を移動した後、コントローラ３００はステップＳ１４６にてインデックス信号ＩＮＤが入力されたかを判定する。インデックス信号ＩＮＤが入力されていない場合は再度ステップＳ１４６にてインデックス信号ＩＮＤが入力されたかを判定する。インデックス信号ＩＮＤが入力された場合は次のステップＳ１４８に進み、波形解析装置２００への再生信号の波形データＸ（ｎ）の入力が開始される。これにより、再生用レーザー光の光スポットの反射光に基づいて再生信号生成回路１１４にて生成された再生信号の波形データＸ（ｎ）が波形解析装置２００に入力される。次いで、ステップＳ１５０にてインデックス信号ＩＮＤが入力されたかを判定する。入力されていない場合は再度判定する。インデックス信号ＩＮＤが入力された場合は、光スポットが光ディスクＤＫの周方向に１周し、再生信号の波形データＸ（ｎ）の入力が完了したとみなせるので、次のステップＳ１５２に進み、このステップＳ１５２にて波形解析装置２００への再生信号のデータＸ（ｎ）の入力を停止する。上記ステップＳ１４８〜Ｓ１５２の処理の実行により、波形解析装置２００へ、パラメータの値がＰ（ｎ）である場合に光ディスクＤＫに記録される識別情報の再生信号の波形データが波形解析装置２００に入力された。
【００７０】
次に、コントローラ３００は、ステップＳ１５４にて再生用カウンタ値ｎがｍ以上であるかを判定する。最初のバーコードデータを再生するときは再生用カウンタ値ｎは１とされており、パラメータの変更数であるｍよりも小さいので、この判定結果は「Ｎｏ」となる。判定結果が「Ｎｏ」である場合はステップＳ１５６に進む。ステップＳ１５６ではｎをインクリメントする。その後、ステップＳ１４４に戻り、光スポットがｒ０＋（ｎ×Ｂ）−Ｂ／２で表される光ディスクＤＫの半径位置に形成されるように光ピックアップを移動する。このとき、ｎがインクリメントされているので、光スポットの半径位置は前回の半径位置よりもＢだけ光ディスクの径方向外方の位置となる。そして、再び上記のようにステップＳ１４６〜Ｓ１５２の処理を繰り返し、パラメータの値がＰ（ｎ＋１）であるときに記録された識別情報の再生信号の波形データＸ（ｎ＋１）を波形解析装置２００に入力する。
【００７１】
このような識別情報の再生信号の波形データの入力を、再生用カウンタ値ｎがパラメータ変更数ｍとなるまで繰り返される。そして、最後のパラメータの値Ｐ（ｍ）についての識別情報の再生信号の波形データの入力時においては、ステップＳ１５４における判定が「Ｙｅｓ］となるので、このステップＳ１５４からステップＳ１５８に進み、再生用レーザーの照射を停止する。そして、ステップＳ１６０に進んでフォーカスサーボを停止し、さらに次のステップＳ１６２にて光ディスクＤＫの回転を停止させる。次に、ステップＳ１６４にて波形解析装置２００に入力された全ての識別情報の再生信号の波形データに基づいてデータ処理を行う。このステップＳ１６４では、波形解析装置２００は、入力された再生信号の波形データＸ（１），Ｘ（２），・・・Ｘ（ｍ）から、平均波形および重ね合わせ波形を求め、これらの波形から選択された評価値を算出し、算出した評価値を処理データとしてコントローラ３００に入力する処理を含む。ステップＳ１６４にてこのような処理の実行を開始した後、ステップＳ１６６にて波形解析装置２００からコントローラ３００への処理データの入力が完了したかを判定する。入力が完了していない場合（Ｓ１６６：Ｎｏ）場合は再度判定する。入力が完了した場合（Ｓ１６６：Ｙｅｓ）には、ステップＳ１６８に進み、このステップＳ１６８にて、パラメータの値Ｐ（ｎ）に対応付けて、算出した評価値を表示装置３０４に表示する。このとき評価値が最もよいものについて、パラメータの値とともに色分けするなどして作業者に視覚的に印象付けるような処理を施してもよい。これにより、色分けされたパラメータの値が、その設定値についての最適設定値として決定される。そして、次のステップＳ１７０にてこのプログラムの実行を終了する。
【００７２】
作業者は表示装置３０４に表示された結果を見て、色分けされて表示されたパラメータの値をその設定値とする。次いで、光ディスクを新しいものに変えて上記と同一の作業により上記とは別の設定値をパラメータとし、パラメータの値を順次変えて光ディスクのＢＣＡに識別情報を形成する。そして、パラメータの各値を用いたときの評価値を算出し、最もよい評価値が算出されたときに用いたパラメータの値をその設定値の最適設定値と決定する。このようにして、全ての設定値を個々にパラメータとして光ディスクに識別情報を記録・再生し、個々の設定値の最適設定値を本プログラムの実行を繰り返すことにより簡単且つ迅速に定めることができる。そして、定められた全ての最適設定値を用いて光ディスクのＢＣＡに識別情報を記録させることにより、高反射率区間と低反射率区間とが理想的となる識別情報を記録することができる。
【００７３】
以上のように、本実施形態の評価装置２は、光ディスク識別情報記録装置としても機能し得る。また、評価装置２は、記録用レーザー光の出力波形のうち、高出力期間の開始点における出力ＩＨＦ、高出力期間における高出力勾配ＡＨ、高出力期間における出力の変化を示す出力変化曲線ＢＨの形状、低出力期間の開始点における出力ＩＬＦ、低出力期間における低出力勾配ＡＬ、低出力期間における出力の変化を示す出力変化曲線ＢＬの形状、を表す設定値を設定し、これらの設定値により記録用レーザー光の出力波形を決定するとともに、上記設定値を個々にパラメータとして変化させた出力を持つレーザー光を光ディスクに照射する。上記照射により光ディスクＤＫに記録された識別情報は再生信号生成回路１１４で再生され、再生された信号波形は波形解析装置２００により解析されて再生信号の形状（つまり記録された識別情報の反射率分布）を表す評価値が算出される。そして、コントローラ３００にて、個々のパラメータに応じて算出された評価値に基づき、上記設定値の最適設定値が決定される。このため、上記設定値の最適値を自動的に定めることができる。
【００７４】
なお、上記のプログラムの実行において、パラメータの値の変更量αが大きかったときは、パラメータの変更範囲を狭めるとともに変更量を細かく設定し、上記と同一の作業を行って最適なパラメータの値を決定することができる。また、例えばパラメータの値の最大値あるいは最小値のときに評価値が最もよい場合には、それ以外の値のときにさらに良好な評価値が得られる可能性がある。このような場合には、パラメータはそのままにして、変更範囲を変えて再度上記と同一の作業を行うことにより、さらによい評価値が得られる変更パラメータの値を探索することができる。
【００７５】
なお、本実施形態では、光ディスク１枚で１つのパラメータを用い、パラメータとして用いられた設定値の最適値を求めるようにしたが、１つのパラメータの値を用いたときに記録されるバーコードデータの記録幅Ｂと、パラメータの値の変更数ｍとの積がＢＣＡの記録領域（幅）を越えないならば、２つ以上のパラメータを用い、それぞれの値を変えてバーコードデータを光ディスクに記録・再生し、それぞれのパラメータの最適値を同時に求めるようにしてもよい。
【図面の簡単な説明】
【００７６】
【図１】本発明の実施形態における識別情報記録装置の概略図である。
【図２（Ａ）】光ディスクに記録される識別情報を示す図である。
【図２（Ｂ）】識別情報（バーコードデータ）を拡大した詳細図である。
【図３（Ａ）】従来における記録用レーザー光の出力波形を示す図である。
【図３（Ｂ）】図３（Ａ）に示す出力波形の記録用レーザー光を照射した場合に光ディスクに形成される識別情報の反射率分布を示す図である。
【図４（Ａ）】本実施形態における記録用レーザー光の出力波形を示す図である。
【図４（Ｂ）】図４（Ａ）に示す出力波形の記録用レーザー光を照射した場合に光ディスクに形成される識別情報の反射率分布を示す図である。
【図４（Ｃ）】識別情報を構成するバーコードデータのバー部とスペース部との間隔を示す図である。
【図５（Ａ）】本実施形態における記録用レーザー光の出力波形の特性を表す設定値を示す図である。
【図５（Ｂ）】本実施形態における記録用レーザー光の出力波形の特性を表す設定値を示す図である。
【図６】本発明の実施形態における評価装置の概略図である。
【図７】識別情報の再生信号波形（平均波形）から導き出される評価値を示す図である。
【図８】識別情報の再生信号波形（重ね合わせ波形）から導き出される評価値を示す図である。
【図９】本実施形態における評価装置を用いて最適設定値を決定するためにコントローラが行うプログラムのフローチャートのうち、前半部分のフローチャートである。
【図１０】図９のフローチャートに続く後半部分のフローチャートである。
【図１１（Ａ）】高出力変化曲線ＢＨを近似する２次関数を示す図である。
【図１１（Ｂ）】低出力変化曲線ＢＬを近似する２次関数を示す図である。
【符号の説明】
【００７７】
１…光ディスク識別情報記録装置、２…評価装置、１０…回転駆動装置（回転装置）、１１…スピンドルモータ、１２…フィードモータ、１３…ターンテーブル、２０…光ピックアップ、２１…記録用レーザー光源、３４…再生用レーザー光源、１１４…再生信号生成回路、１２２…再生用レーザー駆動回路、１３２…データ変換回路、１３４…記録波形生成回路、１３６…記録用信号生成回路、１３８…記録用レーザー光駆動回路、１４０…クロック信号発生回路、１４２…スピンドルモータ制御回路、１４４…フィードモータ制御回路、２００…波形解析装置、３００…コントローラ、ＡＨ…高出力勾配、ＡＬ…低出力勾配、ＢＨ…高出力変化曲線、ＢＬ…低出力変化曲線、ＩＨＦ…高出力初期値、ＩＨＲ…高出力終了値、ＩＬＦ…低出力初期値、ＩＬＲ…低出力終了値、ＤＫ…光ディスク
【図１】
2008108324.tif 000003
【図２（Ａ）】
2008108324.tif 000004
【図２（Ｂ）】
2008108324.tif 000005
【図３（Ａ）】
2008108324.tif 000006
【図３（Ｂ）】
2008108324.tif 000007
【図４（Ａ）】
2008108324.tif 000008
【図４（Ｂ）】
2008108324.tif 000009
【図４（Ｃ）】
2008108324.tif 000010
【図５（Ａ）】
2008108324.tif 000011
【図５（Ｂ）】
2008108324.tif 000012
【図６】
2008108324.tif 000013
【図７】
2008108324.tif 000014
【図８】
2008108324.tif 000015
【図９】
2008108324.tif 000016
【図１０】
2008108324.tif 000017
【図１１（Ａ）】
2008108324.tif 000018
【図１１（Ｂ）】
2008108324.tif 000019